(57)【要約】【課題】  入賞口またはアウト口に入り回収タンクに送られる遊技球を計数するための遊技球計数センサの交換、修理などの作業が容易になる打球計数センサの取り付け構造を提供すること。【解決手段】  パチンコ機１０の打球を計数するための打球計数センサの取り付け構造Ａにおいて、打球のうち、入賞口１４ａ等とアウト口１５に入ったのちに回収箱２５ｄに送られる遊技球Ｂ２を計数するための遊技球計数センサ２４ａを内枠１２ｂの下部前面に設置した。そして、遊技盤１２に、アウト口１５と遊技球計数センサ２４ａとの間で内枠１２ｂの下部を後面から前面に貫通する上部貫通路２５ａと、内枠１２ｂの下部の後面側で入賞口１４ａ等と上部貫通路２５ａとを連通する後面側通路２６と、内枠１２ｂの下部の前面側で上部貫通路２５ａと遊技球計数センサ２４ａの検出位置とを連通する前面側通路２５ｂとを備えた下部遊技球通路２５を形成した。【選択図】  図２
2018102777.tif 000002
【特許請求の範囲】
【請求項１】
遊技機において球発射装置から遊技盤の遊技領域に発射された打球を計数するための打球計数センサの取り付け構造であって、
前記打球のうち、前記遊技盤の入賞口またはアウト口に入り前記遊技盤の後面側に進んだのちに前記遊技機の下方に位置する回収スペースに送られる遊技球を計数するための遊技球計数センサが前記遊技盤を支持する内枠の前面下部に設置され、
前記内枠の下部に、
前記入賞口および前記アウト口の中の最下部に位置するものと前記遊技球計数センサとの間の高さに設けられ前記内枠の下部を後面から前面に貫通する貫通路と、
前記内枠の下部の後面側で前記入賞口および前記アウト口と前記貫通路とを連通する後面側通路と、
前記内枠の下部の前面側で前記貫通路と前記遊技球計数センサの検出位置とを連通する前面側通路と
を備えた遊技球通路が形成されていることを特徴とする打球計数センサの取り付け構造。
【請求項２】
前記遊技球通路に、前記内枠の下部を前面から後面に貫通して形成され、前記遊技球計数センサに検出された遊技球を前記内枠の下部の後面側に送る下部貫通路が含まれている請求項１に記載の打球計数センサの取り付け構造。
【請求項３】
前記打球のうち、前記球発射装置側に戻ったのちに戻り球通路を通って遊技機の前面下部に設けられた球皿に送られる戻り球を計数するための戻り球計数センサが前記内枠の前面下部に設置されている請求項１または２に記載の打球計数センサの取り付け構造。
【請求項４】
前記球発射装置が前記内枠の前面下部に設けられ、前記内枠の前面下部における前記球発射装置の近傍に前記球発射装置により発射された発射球を計数するための発射球計数センサが設置されている請求項１ないし３のうちのいずれか一つに記載の打球計数センサの取り付け構造。
【請求項５】
前記打球のうち、前記球発射装置側に戻ったのちに戻り球通路を通って遊技機の前面下部に設けられた球皿に送られる戻り球を計数するための戻り球計数センサおよび前記球発射装置により発射された発射球を計数するための発射球計数センサが備わっており、前記遊技球計数センサ、前記戻り球計数センサおよび前記発射球計数センサが一体に組み付けられて、前記内枠の前面下部に取り付けられている請求項１に記載の打球計数センサの取り付け構造。
【発明の詳細な説明】
【技術分野】
【０００１】
本発明は、遊技機において球発射装置から遊技盤に発射された打球を計数するための打球計数センサの取り付け構造に関する。
【背景技術】
【０００２】
遊技機、例えばパチンコ機においては、遊技者が使った金額と、ホール側が遊技者に還元した金額を明確にするため、また遊技者による不正行為を防止するために、打球の経路に応じてその数を計測することが行われている（例えば、特許文献１参照。）。このパチンコ機には、発射されたのちに遊技盤の遊技領域に到達しなかったファール球（戻り球）を検出するファール球検出スイッチ、入賞口に入った入賞玉を検出する入賞玉検出スイッチおよびアウト口に入ったアウト玉を検出するアウト玉検出スイッチが備わっている。ファール球検出スイッチは遊技盤を支持する内枠の表面側下部に設置され、入賞玉検出スイッチは内枠の裏面側で各入賞口に対応して複数個設置されている。また、アウト玉検出スイッチは内枠の裏面側下部に設置されている。
【先行技術文献】
【特許文献】
【０００３】
【特許文献１】特許第２６４０１１２号公報
【発明の概要】
【０００４】
このようなパチンコ機の各検出スイッチは、故障や誤動作が生じた場合や、一定期間経過したのちには、交換、修理、点検などが必要になる。しかしながら、前述したパチンコ機では、入賞玉検出スイッチおよびアウト玉検出スイッチが内枠の裏面側に設置されているため、検出スイッチの交換、修理、点検などを行う場合には、内枠を遊技盤とともにパチンコ機の本体から回転させて開く必要がある。さらに、内枠の裏面側には、各種の配線や基板ケースなどの部品が設置されているため、必要に応じて遊技盤も含めてそれらの部品なども取り外さなければならず作業性が悪いという問題がある。
【０００５】
本発明は、前述した問題に対処するためになされたもので、その目的は、遊技機において球発射装置から遊技盤に向けて発射された打球のうち、特に、入賞口またはアウト口に入り遊技盤の裏面に進んだのちに回収タンクに送られる遊技球を計数するための遊技球計数センサの交換、修理、点検などの作業が容易になる打球計数センサの取り付け構造を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明に係る打球計数センサの取り付け構造の構成上の特徴は、遊技機（１０）において球発射装置（２３）から遊技盤（１２）の遊技領域（１２ａ）に発射された打球（Ｂ１，Ｂ２，Ｂ３）を計数するための打球計数センサの取り付け構造（Ａ）であって、打球のうち、遊技盤の入賞口（１４ａ，１４ｂ）またはアウト口（１５）に入り遊技盤の後面側に進んだのちに遊技機の下方に位置する回収スペース（２５ｄ）に送られる遊技球（Ｂ２）を計数するための遊技球計数センサ（２４ａ）が遊技盤を支持する内枠（１２ｂ）の前面下部に設置され、内枠の下部に、入賞口およびアウト口の中の最下部に位置するものと遊技球計数センサとの間の高さに設けられ内枠の下部を後面から前面に貫通する貫通路（２５ａ）と、内枠の下部の後面側で入賞口およびアウト口と貫通路とを連通する後面側通路（２６）と、内枠の下部の前面側で貫通路と遊技球計数センサの検出位置とを連通する前面側通路（２５ｂ）とを備えた遊技球通路（２５，２６）が形成されていることにある。
【０００７】
本発明に係る打球計数センサの取り付け構造では、球発射装置から発射された打球のうち、入賞口またはアウト口に入り一旦遊技盤の後面側に進んだ遊技球を、後面側通路および遊技盤を支持する内枠の下部を後面から前面に貫通する貫通路を備えた遊技球通路によって、内枠の下部の前面側に進めるようにしている。そして、遊技球計数センサを内枠の前面下部に設置して、この遊技球計数センサで遊技球計数センサの検出位置を通過する遊技球を検出するようにしている。このため、遊技球計数センサに交換、修理、点検などの必要が生じた場合には、遊技盤を遊技機本体から取り外すことなく容易に作業を行える。なお、内枠は、遊技盤が着脱可能に取り付けられる枠体であり、少なくとも遊技盤の下方に位置する下部が備わったものである。そして、内枠の下部とは、遊技盤の下方に位置する部分である。
【０００８】
本発明に係る打球計数センサの取り付け構造の他の構成上の特徴は、遊技球通路に、内枠の下部を前面から後面に貫通して形成され、遊技球計数センサに検出された遊技球を内枠の下部の後面側に送る下部貫通路（２５ｃ）が含まれていることにある。
【０００９】
本発明によると、遊技球計数センサによって内枠の下部の前面で検出された遊技球を、下部貫通路を通して内枠の下部の後面側から回収スペースに向かわせることができる。回収スペースは、各遊技機の下方に配置された小型の回収箱または複数の遊技機から流下してくる遊技球を収容する大型の回収タンクで構成されており、通常、遊技機の後面側下方に配置されている。このため、遊技球通路に、内枠の下部を前面から後面に貫通する下部貫通路を含ませることで、従来の遊技機を使用することができるため、遊技機を大幅に改造することなく、遊技球を回収スペースに送ることができる。
【００１０】
本発明に係る打球計数センサの取り付け構造のさらに他の構成上の特徴は、打球のうち、球発射装置側に戻ったのちに戻り球通路（２８）を通って遊技機の前面下部に設けられた球皿（１７）に送られる戻り球（Ｂ３）を計数するための戻り球計数センサ（２７ａ）が内枠の前面下部に設置されていることにある。
【００１１】
本発明によると、入賞口またはアウト口に入った遊技球を検出する遊技球計数センサに加えて、遊技領域に到達しなかったり、釘などに跳ね返されてきたりした戻り球を検出する戻り球計数センサが設けられているため、すべての打球を検出して計数できるようになる。また、戻り球計数センサも内枠の前面下部に設置されているため、遊技球計数センサと同様、交換、修理、点検などの作業が容易になる。
【００１２】
本発明に係る打球計数センサの取り付け構造のさらに他の構成上の特徴は、球発射装置が内枠の前面下部に設けられ、内枠の前面下部における球発射装置の近傍に球発射装置により発射された発射球（Ｂ１）を計数するための発射球計数センサ（２２ａ）が設置されていることにある。
【００１３】
本発明によると、遊技球計数センサに加えて、または、遊技球計数センサと戻り球計数センサに加えて、球発射装置が発射する発射球を計数するための発射球計数センサが設けられているため、より正確な打球の計数が可能になる。遊技球計数センサと発射球計数センサが備わっている場合には、発射球計数センサの計数値と遊技球計数センサの計数値との差を戻り球の数として求めることができる。また、遊技球計数センサ、戻り球計数センサおよび発射球計数センサが備わっている場合には、発射球計数センサの計数値と戻り球計数センサの計数値との和が、発射球計数センサの計数値と同じになり、これが異なっていれば、不正行為が行われたり、誤検出が生じたりしていることが分かる。また、発射球計数センサも内枠の前面下部に設置されているため、交換、修理、点検などの作業が容易になる。
【００１４】
本発明に係る打球計数センサの取り付け構造のさらに他の構成上の特徴は、打球のうち、球発射装置側に戻ったのちに戻り球通路を通って遊技機の前面下部に設けられた球皿に送られる戻り球を計数するための戻り球計数センサおよび球発射装置により発射された発射球を計数するための発射球計数センサが備わっており、遊技球計数センサ、戻り球計数センサおよび発射球計数センサが一体に組み付けられて、内枠の前面下部に取り付けられていることにある。本発明によると、遊技球計数センサ、戻り球計数センサおよび発射球計数センサの遊技機本体への取り付けや取り外しの作業が容易になる。
【図面の簡単な説明】
【００１５】
【図１】本発明の一実施形態に係る打球計数センサの取り付け構造を備えたパチンコ機を示した正面図である。
【図２】内枠の下部に取り付けられた打球計数センサの組付け体を示した正面図である。
【図３】内枠の下部に取り付けられた打球計数センサの組付け体を示した側面図である。
【図４】内枠の下部に打球計数センサの組付け体を取り付ける状態を示した斜視図である。
【図５】打球計数センサの組付け体を右斜め上方から見た状態を示した斜視図である。
【図６】打球計数センサの組付け体を左斜め上方から見た状態を示した斜視図である。
【図７】遊技球通路を示した一部切欠き斜視図である。
【図８】遊技盤を後面から見た状態を示した斜視図である。
【図９】打球計数センサの取り付け構造を示した斜視図である。
【図１０】戻り球通路を示した一部切欠き斜視図である。
【発明を実施するための形態】
【００１６】
以下、本発明の一実施形態を図面を用いて説明する。図１は、同実施形態に係る打球計数センサの取り付け構造Ａ（図２参照）を備えたパチンコ機１０の概略を示している。以下、本明細書では、前後、左右および上下の各方向は、図１に基づくものとし、紙面手前側が前方であるとする。パチンコ機１０は、遊技機本体１１と、遊技機本体１１の下部を除いた部分の前面を覆い、遊技機本体１１の左縁部に回転可能に取り付けられた前扉１６とを備えている。
【００１７】
遊技機本体１１は、矩形の枠体で構成されており、その枠内には、遊技盤１２が着脱可能に取り付けられた内枠１２ｂが左縁部を中心に回転可能に取り付けられている。この内枠１２ｂは、矩形の枠状に形成されており、前後方向から見た状態で下部が他の部分よりも幅広になっている。また、遊技盤１２の中央やや上方には略円形の遊技領域１２ａが形成されている。そして、遊技領域１２ａの中央やや上方には、液晶画面１３が設けられ、液晶画面１３の下方に、入賞口１４ａ，１４ｂが上下に間隔を保って設けられている。さらに、入賞口１４ｂの下方にアウト口１５が設けられている。
【００１８】
前扉１６は、中央に、遊技領域１２ａと略同じ大きさの略円形の窓穴が形成された矩形の枠部１６ａと、窓穴に取り付けられたガラス部１６ｂとで構成されており、左縁部の上下に設けられたヒンジ機構を介して、遊技機本体１１に取り付けられている。前扉１６の遊技機本体１１に対する回転によって、遊技盤１２の前面は開閉される。そして、前扉１６の前面下部の左側に、発射用の待機球（図示せず）を溜めるための球皿１７が設けられ、前扉１６における球皿１７の右側にハンドル１８が設けられている。
【００１９】
打球計数センサの取り付け構造Ａは、図２ないし図４に示したように、打球計数センサの組付け体２０と、遊技機本体１１における打球計数センサの組付け体２０が取り付けられる部分とで構成されており、打球計数センサの組付け体２０は、遊技盤１２の下方に位置する内枠１２ｂの下部に取り付けられている。前扉１６を閉じた状態では、打球計数センサの組付け体２０は、前扉１６の下部で隠れて、前方から見えなくなっている。また、内枠１２ｂの下部には、図４に示したように、打球計数センサの組付け体２０を取り付けるための取り付け用穴１２ｃ，１２ｄや取り付け用係合部１２ｅが設けられ、遊技盤１２の前面中央から上部にかけての周囲部分には、周回するようにしてガイドレール１９が設けられている。
【００２０】
打球計数センサの組付け体２０は、図５および図６に示したように、支持部材２１に、発射球カウント部２２、遊技球カウント部２４および戻り球カウント部２７を左右に組み付けて構成されている。支持部材２１は、左右に長い矩形の支持板２１ａの周縁部に前方に突出する周壁部２１ｂを形成した略箱形に形成されており、発射球カウント部２２と遊技球カウント部２４の境界および発射球カウント部２２と戻り球カウント部２７の境界にはそれぞれ上下に延びる仕切り板２１ｃ，２１ｄが形成されている。また、支持板２１ａの所定部分には、支持部材２１を内枠１２ｂの下部にねじ（図示せず）で固定するための複数の円筒状のねじ螺合部２１ｅが形成されている。
【００２１】
発射球カウント部２２は、支持部材２１の中央に支持板２１ａを貫通して設置されており、球発射装置２３と発射球計数センサ２２ａを備えている。図示は省略しているが、球発射装置２３は、ロータリーソレノイドと、ロータリーソレノイドの回転軸に連結された屈曲した打球槌と、打球槌の回転範囲を規制する２個のストッパと、発射レールとを備えている。打球槌は先端に打撃部が形成された棒状に形成され、発射レールは右から左に向かって登り傾斜になり右下端が発射位置になっている。
【００２２】
ロータリーソレノイドは、通電による制御回路からのパルスに応じて回転軸を回転させる。打球槌は回転軸とともに回転し、打撃部が発射位置を通過するときに打球槌の本体部分が一方のストッパに衝突する。これによって通電状態がオフになってロータリーソレノイドのトルクが消滅し、打球槌は衝突の反動と自重により逆方向に回転して、もう一方のストッパの位置で停止する。ロータリーソレノイドが通電される間、このような動作が繰り返される。このロータリーソレノイドへの通電は、ハンドル１８の回転操作により行われる。
【００２３】
また、発射位置には、球皿１７から待機球が１球ずつ供給され、発射レールは、発射位置からガイドレール１９の下端部近傍まで延びている。このため、ハンドル１８を回転操作することで、発射球Ｂ１（図１参照）を遊技領域１２ａに向けて発射させることができる。発射球計数センサ２２ａは、発射レールに対向して設置され、発射レールを通過する発射球Ｂ１を検出する。この発射球計数センサ２２ａは、直流２線式近接スイッチで構成され、高周波発振回路の検出コイルのインピーダンスの変化によって金属体を検出する。この発射球計数センサ２２ａは、コネクタ２２ｂを介して球発射装置２３の前面に着脱自在に取り付けられている。
【００２４】
遊技球カウント部２４は、支持部材２１の前面右側に設置されており、下部遊技球通路２５と遊技球計数センサ２４ａを備えている。下部遊技球通路２５は、左側方から見た状態で、略コ字形の筒状に形成されている。この下部遊技球通路２５は、図７に示したように、内枠１２ｂの下部を貫通して後面から前面にやや下り傾斜になって延びる上部貫通路２５ａと、内枠１２ｂの下部の前面側で上部貫通路２５ａから下方に延びる前面側通路２５ｂと、前面側通路２５ｂの下端から内枠１２ｂの下部を貫通して前面から後面にやや下り傾斜になって延びる下部貫通路２５ｃとからなっている。
【００２５】
また、内枠１２ｂの下部の後面上部における左右方向の略中央には、本体側遊技球通路２６が配置されている。本体側遊技球通路２６は、遊技盤１２の後面に沿って左右に延びる樋状に形成されており、底面部２６ａ、後面部２６ｂおよび左右の側面部２６ｃ，２６ｄを備えている。そして、底面部２６ａの前端部には、左から右に向かって下り傾斜になった傾斜溝２６ｅが形成されている。また、図８に示したように、本体側遊技球通路２６内の右端側（図８では左端側）にはアウト口１５が位置しており、さらに、図８では省略しているが、本体側遊技球通路２６の上方には、入賞口１４ａ，１４ｂが位置している。この本体側遊技球通路２６と下部遊技球通路２５とで本発明に係る遊技球通路が構成される。また、下部貫通路２５ｃの下方には、回収箱２５ｄが設置されている。
【００２６】
前面側通路２５ｂの前面には、上下に間隔を保って配置された弾性把持部２４ｂが形成されており、遊技球計数センサ２４ａは、この弾性把持部２４ｂに挟持された状態で下部遊技球通路２５に着脱自在に組み付けられている。遊技球計数センサ２４ａは、発光部と受光部とを備えたフォトセンサで構成されている。そして、発光部と受光部とを対向させるとともに、前面側通路２５ｂの両側に位置させた状態で、下部遊技球通路２５に組み付けられている。この遊技球計数センサ２４ａは、発射球Ｂ１のうちの入賞口１４ａ，１４ｂおよびアウト口１５を通過した遊技球Ｂ２（図８および図９参照）が発光部と受光部の間に到達したときに、発光部からの光を受光部が受光できなくなることで遊技球Ｂ２を検出する。
【００２７】
戻り球カウント部２７は、支持部材２１の前面左側に設置されており、戻り球通路２８（図１０参照）と戻り球計数センサ２７ａを備えている。前述したガイドレール１９と発射レールとの間には、発射球Ｂ１のうちの遊技領域１２ａに到達せずに、ガイドレール１９に沿って左下方に戻ってくる戻り球Ｂ３（図９参照）を通せる隙間が形成されており、戻り球通路２８は、この隙間に連通するように形成されている。支持部材２１の左側部分の前部には板部材２７ｂが張り付けられており、戻り球通路２８は、支持板２１ａと板部材２７ｂとの間に形成されている。
【００２８】
この戻り球通路２８は、図１０に示したように、上端の入口側開口２８ａから右側に突出したＶ字を描くようにして下方に延びたのちに、上方から前側下方に向かうように湾曲して延びており、下端には、板部材２７ｂの前面に開口する出口側開口２８ｂが形成されている。また、出口側開口２８ｂの下方には、球皿１７が位置しており、戻り球通路２８を通過した戻り球Ｂ３は、球皿１７に戻っていく。また、板部材２７ｂの前面下部には、前面と右側面が開放された略箱状の係合部２７ｃが形成されており、戻り球計数センサ２７ａは、この係合部２７ｃに着脱自在に組み付けられている。
【００２９】
戻り球計数センサ２７ａは、遊技球計数センサ２４ａと同じフォトセンサで構成されており、発光部と受光部とを備えている。この戻り球計数センサ２７ａは、発光部と受光部とを対向させた状態で戻り球通路２８の両側に位置させており、戻り球検出通路２８を通過する戻り球Ｂ３が発光部と受光部の間に到達したときに、発光部からの光を受光部が受光できなくなることで戻り球Ｂ３を検出する。
【００３０】
このようにして、発射球カウント部２２、遊技球カウント部２４および戻り球カウント部２７が組み付けられた打球計数センサの組付け体２０は、発射球カウント部２２の後部を取り付け用穴１２ｃに位置させ、遊技球カウント部２４の後部を取り付け用穴１２ｄに位置させて内枠１２ｂの下部に組み付けられる。そして、支持部材２１の周壁部２１ｂの右端部に取り付け用係合部１２ｅを係合させるとともに、ねじとねじ螺合部２１ｅを介して支持部材２１を内枠１２ｂの下部に固定する。これによって、本体側遊技球通路２６と下部遊技球通路２５とが連通し、戻り球通路２８の入口側開口２８ａとガイドレール１９と発射レールとの間の隙間とが連通する。
【００３１】
また、図示は省略しているが、パチンコ機１０または複数のパチンコ機１０を一括管理するホールコンピュータには、発射球Ｂ１、遊技球Ｂ２および、戻り球Ｂ３を計数するための処理を含む各種の処理を実行するＣＰＵ、ＣＰＵが実行するプログラムを記憶するＲＯＭ、ＣＰＵの処理に使用されるデータなどを一時的に記憶するＲＡＭ等が備わった制御部、発射球Ｂ１、遊技球Ｂ２および戻り球Ｂ３の数を表示する各表示器、各表示器の表示をリセットするためのリセットボタンなどが備わっている。そして、各表示器には、それぞれ発射球計数センサ２２ａを通過する発射球Ｂ１の数、遊技球計数センサ２４ａを通過する遊技球Ｂ２の数、戻り球計数センサ２７ａを通過する戻り球Ｂ３の数が順次加算されて合計値として表示される。
【００３２】
このように構成されたパチンコ機１０を使用する場合には、まず、球皿１７に所定量の待機球を入れる。これによって、先に球皿１７に入った待機球から順に、１球ずつ発射位置に送られる。つぎに、ハンドル１８を回転操作することによって、球発射装置２３を作動させる。これによって、ロータリーソレノイドが通電されて、打球槌が回転移動し、待機球は発射球Ｂ１として、遊技領域１２ａに向けて発射される。この場合、発射球Ｂ１には勢いがあるため、ガイドレール１９と発射レールとの間の隙間を通過して、遊技領域１２ａに向かう。その間に、つぎの待機球が、発射位置に到達して、再度球発射装置２３によって発射される。このような動作が繰り返されることにより、発射球Ｂ１が１個ずつ遊技領域１２ａに向けて発射される。
【００３３】
そして、発射球Ｂ１が発射レールを通過する間に、発射球計数センサ２２ａは、各発射球Ｂ１を検出し、その発射球Ｂ１の数は記憶装置に記憶され発射球Ｂ１用の表示器に表示される。この発射球Ｂ１のうち、入賞口１４ａ，１４ｂに入った遊技球Ｂ２と、入賞口１４ａ，１４ｂに入ることなくアウト口１５に入った遊技球Ｂ２は、本体側遊技球通路２６内に落下したのちに、下部遊技球通路２５を通過して、回収箱２５ｄ内に流下していく。そして、遊技球Ｂ２が下部遊技球通路２５を通過する間に、遊技球計数センサ２４ａは、各遊技球Ｂ２を検出し、その遊技球Ｂ２の数は記憶装置に記憶され遊技球Ｂ２用の表示器に表示される。なお、発射球Ｂ１が入賞口１４ａ，１４ｂに入ったときには、所定数の賞球がパチンコ機１０の上部に設けられた供給タンクから球皿１７に供給される。
【００３４】
また、発射球Ｂ１のうち、勢いが弱く遊技領域１２ａに到達しなかったものや、遊技領域１２ａの釘などに跳ね返されたりして、ガイドレール１９に沿って戻ってくる戻り球Ｂ３は、戻り球通路２８を通過して、球皿１７に戻っていく。そして、戻り球Ｂ３が戻り球通路２８を通過する間に、戻り球計数センサ２７ａは、各戻り球Ｂ３を検出し、その戻り球Ｂ３の数は記憶装置に記憶され戻り球Ｂ３用の表示器に表示される。
【００３５】
また、所定期間の使用により、発射球計数センサ２２ａ、遊技球計数センサ２４ａおよび戻り球計数センサ２７ａのいずれかに、交換、修理、点検などの必要が生じた場合には、前扉１６を開いて、内枠１２ｂの下部の前面に配置された発射球計数センサ２２ａ、遊技球計数センサ２４ａまたは戻り球計数センサ２７ａに所定の処理を行う。点検の場合は、発射球計数センサ２２ａ、遊技球計数センサ２４ａおよび戻り球計数センサ２７ａを内枠１２ｂの下部に設置したままの状態で行ってもよいし、内枠１２ｂの下部から取り外した状態で行ってもよい。なお、図７は、発射球計数センサ２２ａおよび戻り球計数センサ２７ａを外した状態を示し、図９および図１０は、発射球計数センサ２２ａを外した状態を示している。
【００３６】
以上のように、本実施形態に係る打球計数センサの取り付け構造Ａでは、入賞口１４ａ，１４ｂまたはアウト口１５に入り遊技盤１２の後面側に進んだ遊技球Ｂ２を、本体側遊技球通路２６と、下部遊技球通路２５の上部貫通路２５ａおよび前面側通路２５ｂとを通過させて一旦内枠１２ｂの下部の前面側に進めるようにしている。そして、内枠１２ｂの下部の前面に設置した遊技球計数センサ２４ａで遊技球Ｂ２を検出するようにしている。このため、遊技球計数センサ２４ａに交換、修理、点検などの必要が生じた場合には、遊技盤１２を遊技機本体１１から取り外すことなく容易に作業を行える。
【００３７】
また、下部遊技球通路２５には、内枠１２ｂの下部を前面から後面に貫通する下部貫通路２５ｃが含まれているため、内枠１２ｂの下部の前面で検出された遊技球Ｂ２を、内枠１２ｂの下部の後面側から回収箱２５ｄに落下させることができる。このように、下部貫通路２５ｃを設けることで、パチンコ機１０を改造することなく、遊技球Ｂ２を回収箱２５ｄに落下させることができる。
【００３８】
また、打球計数センサの取り付け構造Ａでは、遊技領域１２ａに到達することなくガイドレール１９に沿って下降してきた戻り球Ｂ３を球皿１７に向かわせる戻り球通路２８に戻り球Ｂ３を検出する戻り球計数センサ２７ａが設置されている。このため、遊技球Ｂ２だけでなく、戻り球Ｂ３も検出できる。この戻り球計数センサ２７ａも内枠１２ｂの下部の前面に着脱自在に設置されているため、交換、修理、点検などの作業が容易になる。
【００３９】
さらに、打球計数センサの取り付け構造Ａには、球発射装置２３により発射された発射球Ｂ１を検出する発射球計数センサ２２ａも備わっている。このため、遊技球計数センサ２４ａの計数値と、戻り球計数センサ２７ａの計数値との合計値を、発射球計数センサ２２ａの計数値と比較することで、不正行為が行われたり、誤検出が生じたりしているかどうかを判断することができる。例えば、遊技球Ｂ２の計数値と戻り球Ｂ３の合計値と、発射球Ｂ１の計数値とが異なっている場合や、遊技球Ｂ２の計数値に対して、賞球の数が異常に多い場合には誤検出や不正が発生していると判断することができる。なお、説明は省略したが、パチンコ機１０には、賞球を計数するセンサも備わっている。
【００４０】
また、発射球計数センサ２２ａも内枠１２ｂの下部の前面に設置されているため、交換、修理、点検などの作業が容易になる。さらに、発射球計数センサ２２ａを含む発射球カウント部２２、遊技球計数センサ２４ａを含む遊技球カウント部２４および戻り球計数センサ２７ａを含む戻り球カウント部２７を一体として打球計数センサの組付け体２０に組み込ませたため、遊技機本体１１への組付けや取り外しが容易になる。
【００４１】
本発明に係る打球計数センサの取り付け構造は、前述した実施形態に限定するものでなく、適宜変更することができる。例えば、前述した実施形態では、遊技機をパチンコ機としているが、この遊技機はパチンコ機に限らず、スマートボールやピンボール等であってもよい。また、前述した実施形態では、下部遊技球通路２５に下部貫通路２５ｃが含まれているが、この下部貫通路２５ｃは省略することもできる。この場合、パチンコ機を改造して、前面側通路２５ｂの下方に回収スペースが位置するようにする。
【００４２】
さらに、発射球計数センサ２２ａ、遊技球計数センサ２４ａおよび戻り球計数センサ２７ａとして用いられるセンサとしても、前述した実施形態以外のものを使用してもよい。要は、発射球Ｂ１、遊技球Ｂ２および戻り球Ｂ３を検出できるとともに計数できる構成になっていればよい。また、前述した実施形態では、発射球カウント部２２の発射装置２３と支持部材２１とが別体になっているが、これらは一体になっていてもよい。すなわち、発射装置２３のベースが支持部材２１の一部で構成されていてもよい。さらに、本発明に係る打球計数センサの取り付け構造のそれ以外の部分の構成についても本発明の技術的範囲内で適宜変更して実施することが可能である。
【符号の説明】
【００４３】
１０…パチンコ機、１２…遊技盤、１２ａ…遊技領域、１２ｂ…内枠、１４ａ，１４ｂ…入賞口、１５…アウト口、１７…球皿、２２ａ…発射球計数センサ、２３…球発射装置、２４ａ…遊技球計数センサ、２５…下部遊技球通路、２５ａ…上部貫通路、２５ｂ…前面側通路、２５ｃ…下部貫通路、２５ｄ…回収箱、２６…本体側遊技球通路、２７ａ…戻り球計数センサ、２８…戻り球通路、Ａ…打球計数センサの取り付け構造、Ｂ１…発射球、Ｂ２…遊技球、Ｂ３…戻り球。
【図１】
2018102777.tif 000003
【図２】
2018102777.tif 000004
【図３】
2018102777.tif 000005
【図４】
2018102777.tif 000006
【図５】
2018102777.tif 000007
【図６】
2018102777.tif 000008
【図７】
2018102777.tif 000009
【図８】
2018102777.tif 000010
【図９】
2018102777.tif 000011
【図１０】
2018102777.tif 000012